(57)【要約】    【目的】ウエストポーチ式あるいは首掛け式の救命具において、前記気室を脱着可能で、交換可能な救命具であって、前記気室を強固に固定可能な救命具を提供することを目的とする。    【構成】気体を充填することにより膨張可能な気室と、前記気室を折り畳んで収納可能で、かつ前記気室が取り付けられた収納部３とを備え、前記気室は収納部３に脱着自在に取り付けられている救命具において、前記気室の周縁に縁取りが形成され、前記縁取り１１３に装着穴６１が設けられ、一方、前記収納部に前記装着穴に挿通するためのループ片６２と前記ループ片のループを挿通して相互にその両端部を脱着自在に固定可能な固定片６３を設けたことを特徴とする。【選択図】  図６
2006327347.tif 000002
【特許請求の範囲】
【請求項１】
気体を充填することにより膨張可能な気室と、前記気室を折り畳んで収納可能で、かつ前記気室が取り付けられた収納部とを備え、前記気室は収納部に脱着自在に取り付けられている救命具において、前記気室の周縁に縁取りが形成され、前記縁取りに装着穴が設けられ、一方、前記収納部に前記装着穴に挿通するためのループ片と前記ループ片のループを挿通して相互にその両端部を脱着自在に固定可能な固定片を設けたことを特徴とする救命具。
【請求項２】
膨張したときに、装着者の腋の下を挿通する二つの腕状部分とこの腕状部分の一方の端部を連結する連結部分とを備えた気室を有し、前記腕状部分の他方の端部に装着者の腰に装着するためのベルトを備えていることを特徴とする請求項１記載の救命具。
【請求項３】
前記ベルトは腕状部分の他方の端部の前記縁取り部分に取り付けられており、前記腕状部分の縁取り部分に周方向に設けられたテープを潜通し、緊締できるようになっていることを特徴とする請求項１又は２記載の救命具。
【請求項４】
前記気室は首掛け式になっていることを特徴とする請求項１記載の救命具。
【請求項５】
前記固定片の少なくとも前記両端部に面ファスナーを備えており、この面ファスナーを固着することにより固定可能になっていることを特徴とする請求項１から４記載のいずれかの救命具。
【発明の詳細な説明】
【技術分野】
【０００１】
本発明は救命具、さらに詳細には不慮の場合に容易に使用状態になり、かつ通常の作業で装着していても活動しやすい救命具に関する。
【背景技術】
【０００２】
図８は従来の首掛け式の救命具の正面図であるが、この図より明らかなように、救命具本体（図示せず）とほぼ同形状の収納部３中に収納されており、前記収納部３内に収納された救命具本体を首にかける形で装着していた。このような首掛け式の救命具の場合、救命具本体が膨張したときに、直ちに救命具本体を装着でき、救命のためには、有利である。しかしながら、通常の作業を行う場合には、胸近辺を覆っているため、作業の邪魔になることが多い。さらに救命具の重量が装着者の首に多大に負荷されることになるという欠点もある。
【０００３】
図９は従来のウエストポーチ式救命具であるが、この救命具によれば、救命具本体１はポーチ状の収納部（ポーチ）３内に収納されており、ベルト４によって、装着者の前(腹部分）に装着される。この場合には、首掛け式と異なり、作業の邪魔になることも少なく、首に負担をかける恐れもないという利点がある。しかしながら前記救命具本体１が膨張したとき、救命具本体１を首掛け状に装着するため、形成されている穴部１０に首を通す必要があると言う欠点がある。このように穴部１０に首を通す行動は、緊急の場合には困難を伴うことも多い。
【０００４】
上記欠点を除去するため、膨張したときに、装着者の腋の下を挿通する二つの腕状部分とこの腕状部分の一方の端部を連結する連結部分とを備えた気室を有し、前記腕状部分の他方の端部あるいは端部近傍に装着者の腰に装着するためのベルトを備えていることを特徴とするウエストポーチ式救命具も開発されている（特願２００２−３６３５７４号）。
【０００５】
上述のような、二つのウエストポーチ式救命具は、作業の邪魔にならないという利点はあるものの、作業中に収納部３がこすれたりして、気室に損傷がないのに拘わらず、使用ができなくなるという事態を生じていた。また、首掛け式救命具においても、同様に気室の損傷がないのに拘わらず、カバーが損傷する事態を生じていた。
【０００６】
このような欠点を除去するため、上述のような特願２００２−３６３５７４号に記載された救命具において、前記気室は収納部に脱着自在に取り付けられている救命具が開発されている（特願２００４−１９３４６３号）。このような救命具は図１０に示すように、前記気室１１の周縁に縁取り１１３を有し、前記縁取り１１３に装着穴６１が、一方、前記収納部３の内側に係止片６４が固定されており、前記係止片６４を前記装着穴６１に挿通させ、ループを形成して面ファスナー６４１で固定することにより脱着自在に気室を収納部に固定するようになっている。
【０００７】
しかしながら、このような装着穴６１、係止片６４よりなる装着具６は面ファスナー６２１のみによって固定が維持されるため、強度上問題を生じる可能性があった。
【特許文献１】特願２００２−３６３５７４号
【特許文献２】特願２００４−１９３４６３号
【発明の開示】
【発明が解決しようとする課題】
【０００８】
本発明は上述の問題点に鑑みなされたものであり、上述のようなウエストポーチ式あるいは首掛け式の救命具において、前記気室を脱着可能で、交換可能な救命具であって、前記気室を強固に固定可能な救命具を提供することを目的とする。
【課題を解決するための手段】
【０００９】
上記問題点を解決するため、本発明による救命具は、気体を充填することにより膨張可能な気室と、前記気室を折り畳んで収納可能で、かつ前記気室が取り付けられた収納部とを備え、前記気室は収納部に脱着自在に取り付けられている救命具において、前記気室の周縁に縁取りが形成され、前記縁取りに装着穴が設けられ、一方、前記収納部に前記装着穴に挿通するためのループ片と前記ループ片のループを挿通して相互にその両端部を脱着自在に固定可能な固定片を設けたことを特徴とする。
【発明の効果】
【００１０】
本発明による救命具においては、前記気室と収納部は脱着自在に取り付けられているため、収納部が損傷しても、収納部を取り換えるだけで、使用可能になり、経済的であり、さらに、両端部を相互に固定する固定片ばかりでなく収納部に固着されたループ片に解除圧力が分担して負荷されるため、不慮の事態で解除しにくくなるという利点がある。
【発明を実施するための最良の形態】
【００１１】
本発明によれば、気体を充填することにより膨張可能な気室と、前記気室を折り畳んで収納可能で、かつ前記気室が取り付けられた収納部とを備え、前記気室は収納部に脱着自在に取り付けられている救命具において、前記気室の周縁に縁取りが形成され、前記縁取りに装着穴が設けられ、一方、前記収納部に前記装着穴に挿通するためのループ片と前記ループ片のループを挿通して相互にその両端部を脱着自在に固定可能な固定片を設けたことを特徴とする。
【００１２】
本発明の好ましい実施形態において、膨張したときに、装着者の腋の下を挿通する二つの腕状部分とこの腕状部分の一方の端部を連結する連結部分とを備えた気室を有し、前記腕状部分の他方の端部に装着者の腰に装着するためのベルトを備えていることを特徴とする。このような構造の気室のほか、従来の図８に示す気室であってもよいことは明らかである。
【００１３】
上記の好ましい形態においては、前記ベルトは腕状部分の他方の端部の前記縁取り部分に取り付けられており、前記腕状部分の縁取り部分に周方向に設けられたテープを潜通し、緊締できるようになっている。
【００１４】
本発明による他の実施形態において、前記気室は首掛け式になっていることを特徴とする。
【００１５】
また、本発明による実施態様においては、前記固定片の前記両端部に面ファスナーを備えており、この面ファスナーを固着することにより固定可能になっていることを特徴とする。
【実施例】
【００１６】
図１は本発明による救命具の一実施例の気室を膨張させたときの正面図、図２は収納部を開いたときの平面図(気室は膨張していない）、図３は裏面図(気室は膨張していない）、図４は収納部に収納した時の斜視図である。
【００１７】
これらの図より明らかなように、救命具本体１は、気体の流入によって膨張する気室１１とこの気室１１の開口端部先端に固定されたベルト４を備えた構造になっている。
【００１８】
前記気室１１は、膨張したときに、装着者Ｈ(図５参照）の腋の下を挿通するようになっているほぼ平行な二つの腕状部分１１１とこの二つの腕状部分１１１の一方の先端に接続した連結部分１１２よりなっており、前記腕状部分１１１及び連結部分１１２は連通した構造になっている（図１から図３参照）。前記ベルト４は前記腕状部分１１１の両方の先端に取り付けられ、そして、前記ベルト４は前記腕状部分１１１の中ほど部分近辺に、腕状部分１１１の周方向に形成されたテープ４１を潜通し、バックル４２により緊締されるようになっている。このベルト４によって、収納部３に収納された救命具本体１を装着者Ｈの腰部分に脱着できるようになっている。
【００１９】
前記気室１１は、連結部分１１２に設けられたボンベ５よりの気体（例えば炭酸ガス）によって膨張可能になっている。
【００２０】
本発明によれば、図２に示すように、ポーチ状の収納部３と気室１１は、装着具６により脱着自在に取り付けられている。すなわち、この実施態様では、気室１１は気室本体の周縁に縁取り１１３を備えており、この縁取り１１３に装着穴６１を設けた構造になっている（図２のＡで示す拡大図の図６参照）。この縁取り１１３を設けることによって、前記装着穴６１、ベルト４およびテープ４１を、前記気室１１の気密性を損なうことなく容易に取り付け可能になる。
【００２１】
一方、収納部３の内側３１には、図６に示すように、ループ片６２が固定片６３とともに縫製などにより取り付けられている。図６中、 （ａ）は装着図の気室を固定したときの斜視図、（ｂ）は装着具の断面図、（ｃ）は固定片の側面図である。
【００２２】
この固定片６３には両方の少なくとも自由端部に面ファスナー６３１が設けられている。したがって、前記ループ片６２を前記装着穴６１に挿入貫通し、更に前記ループ片６２のループ６２１に固定片６３の一方を装入貫通し、前記固定片６３の端部に設けられた面ファスナー６３１を相互に固着することにより固定可能である（装着具は前記装着穴６１、ループ片６２および固定片６３により構成される）。このようにループ片６２およびこのループ片６２のループに装入貫通する固定片６３を使用することにより、従来のように係止片６４によって装着穴６１に装入貫通し固定する場合と比較して、不慮の離脱をより強力に防止できる。
【００２３】
このような本発明の救命具を使用するに際しては、前述のように、気室１１が蛇腹状に収納された収納部３が、図５に示すように、装着者Ｈの腰部分になるようにベルト４によって装着する。万一、水中に落下したとき、装着者Ｈは作動索７を引くこと、あるいは水を検知すると作動する自動膨張装置によって、気室１１に気体を注入し、前記気室１１を膨張せしめる。
【００２４】
このとき、気室１１の二つの腕状部分１１１は、結果として装着者Ｈの両方の腋の下を挿通するようになり、連結部分１１２は装着者の背部を支持するようになる。すなわち、図１から図３より明らかなように、ベルト４は蛇腹状に折り畳まれた腕状部分１１１の先端に取り付けられているため、その膨張によって、気室１１及びベルト４と装着者Ｈとの間に空隙が形成される。このように空隙が形成されることにより、気室１１は浮力によって装着者Ｈの頭部方向にせり上がることになり、図５に示すように、連結部分１１２が前記背部を支持するようになる。さらにこの結果、腕状部分１１１は腋の下にしっかりと固定されることになり、装着者Ｈを安定して水中で保持可能になる。
【００２５】
また、作業中などに収納部３を損傷した場合などは、前記固定片６３の面ファスナー６３１を外してループを解除し、前記固定片６３をループ片６２のループ６２１より引き抜き、さらに前記ループ片６２を装着穴６１より引き抜いて、前記収納部３より気室１１を取り外す。新しい収納部３を用意し、前記気室１１の装着穴６１にループ片６２を挿入して貫通させ、前記固定片６３の一方の先端をループ６２１に装入貫通させて、前記固定片６３の面ファスナー６３１相互に固着させることによって、前記気室１１を収納部３に取り付けることができる。
【００２６】
図７（ａ），（ｂ）は、首掛け式救命具の正面図および収納部３を開いたときの正面図であるが、この場合にも気室１１の縁取り１１３に装着穴が設けられており、固定片およびループ片によって、図６に示すように脱着自在に固定されるようになっている。この実施例においては装着具６は３個所であるが、これに限定されるものではない。
【産業上の利用可能性】
【００２７】
本発明による救命具においては、前記気室と収納部は脱着自在に取り付けられているため、収納部が損傷しても、収納部を取り換えるだけで、使用可能になり、経済的であり、さらに、両端部を相互に固定する固定片ばかりでなく収納部に固着されたループ片に解除圧力が分担して負荷されるため、不慮の事態で解除しにくくなるという利点がある。
【図面の簡単な説明】
【００２８】
【図１】本発明の救命具の一実施例の正面図。
【図２】本発明の救命具の一実施例の平面図。
【図３】本発明の救命具の一実施例の裏面図。
【図４】本発明の救命具を収納した状態の斜視図。
【図５】本発明の救命具が使用された状態の斜視図。
【図６】装着具の拡大図。
【図７】本発明の他の実施例の正面図。
【図８】従来の首掛け式救命具の例を示す正面図。
【図９】従来のウエストポーチ式救命具の例を示す正面図。
【図１０】従来の装着具の拡大図。
【符号の説明】
【００２９】
１            救命具本体
１１            気室
１１１            腕状部分
１１２            連結部分
１１３            縁取り
３            収納部
４            ベルト
４１            テープ
５            ボンベ
６            装着具
６１            装着穴
６２            ループ片
６２１            ループ
６３            固定片
６３１            面ファスナー
６４            係止片
７            作動索
１０            穴部
Ｈ            装着者
【図１】
2006327347.tif 000003
【図２】
2006327347.tif 000004
【図３】
2006327347.tif 000005
【図４】
2006327347.tif 000006
【図５】
2006327347.tif 000007
【図６】
2006327347.tif 000008
【図７】
2006327347.tif 000009
【図８】
2006327347.tif 000010
【図９】
2006327347.tif 000011
【図１０】
2006327347.tif 000012